(57)【要約】【課題】  湿気が少なく固まり難い性状の被移送物はもちろんのこと、湿気が多いがゆえに固まり易い性状の被移送物であっても、いわゆるボタ落ち状態を現出させないようにする。【解決手段】  軸線が水平とされあるいは傾斜される螺旋ブレード１を回動して被移送物Ｗを螺旋ブレード１の先端側に移送すると共に、螺旋ブレード１を収装するケーシング２に形成されて下向に開口する排出口２ａから被移送物Ｗを排出する移送装置において、塊り状態の被移送物Ｗを解す解し手段５が螺旋ブレード１の先端に近隣して配置されると共に、この解し手段５が上記の排出口２ａに露呈されてなる。【選択図】        図１
2005350208.tif 000002
【特許請求の範囲】
【請求項１】
軸線が水平とされあるいは傾斜される螺旋ブレードを回動して被移送物を螺旋ブレードの先端側に移送すると共に、螺旋ブレードを収装するケーシングに形成されて下向に開口する排出口から被移送物を排出する移送装置において、螺旋ブレードから離脱して排出口から排出されようとする被移送物に干渉する解し手段が螺旋ブレードの先端に近隣して配置されると共に、この解し手段が上記の排出口に露呈されてなることを特徴とする移送装置
【請求項２】
螺旋ブレードがケーシングに枢支された軸体の外周に一体に設けられると共に、この軸体が先端に連繋された駆動手段で回動され、かつ、この軸体の先端部の外周に解し手段が配在されてなると共に、この解し手段が放射状に延在される複数の板状体あるいは線状体を有してなる請求項１に記載の移送装置
【請求項３】
ホッパがケーシングに連繋されると共に螺旋ブレードの全長あるいはほぼ全長に亙る領域を被移送物の投入領域にしてなる請求項１に記載の移送装置
【請求項４】
螺旋ブレードが軸線を左右に並列する二本とされてなる請求項１に記載の移送装置
【発明の詳細な説明】
【技術分野】
【０００１】
この発明は、移送装置に関し、特に、被移送物たる粉粒体やウッドチップなどの移送に適する移送装置の改良に関する。
【背景技術】
【０００２】
たとえば、特許文献１には、被移送物たる粉粒体を移送する移送装置が提案されているが、この移送装置は、軸線が水平とされながら上下に重なる二本のロッド型のスクリュ、すなわち、ロッド体の外周に螺旋ブレードを有するスクリュを有していて、このスクリュを回動することで、このスクリュの基端側にホッパ利用などで投入される粉粒体をスクリュの先端側にいわゆる押し遣るように移送することを可能にするとしている。
【０００３】
このとき、この移送装置にあっては、たとえば、スクリュが先端側に複数枚の羽根を一体に有していて、この羽根がスクリュの回動時に同期して回動するとしている。
【０００４】
ちなみに、上記のスクリュを収装するケーシングは、スクリュにおいて上記の羽根を有しないスクリュの先端部近傍を対向させる部位に排出口が設けられるとしており、この排出口に上記の羽根を露出させないとしている。
【０００５】
それゆえ、この移送装置によれば、スクリュの回動でこのスクリュの基端側に投入された被移送物をこのスクリュの先端側に移送し得ると共に、このスクリュの先端側に一体に設けられている複数枚の羽根で塊り状態にある被移送物を細かく解すようにしてケーシングの排出口から外部に排出し得ることになる。
【特許文献１】特開昭５９−７４８２９号公報（特許請求の範囲，第１図，第２図）
【発明の開示】
【発明が解決しようとする課題】
【０００６】
しかしながら、上記した提案の移送装置にあっては、被移送物が粉粒体であることから容認されるとしても、被移送物がウッドチップとなると、必ずしも好ましい移送状態を具現化できないと指摘される可能性がある。
【０００７】
すなわち、上記した提案の移送装置にあって、スクリュの先端側に設けられる複数枚の羽根は、このスクリュを収容するケーシングにおける排出口に近隣する状態に位置決められるとしている。
【０００８】
のみならず、上記の羽根は、排出口との位置関係からすれば、排出口に露呈しない状態で螺旋ブレードに連続する態様に設けられている。
【０００９】
それゆえ、螺旋ブレードで移送されてくる被移送物が粉粒体である場合には、ウッドチップに比較して、湿気が少なく塊になり難いから、羽根が干渉することで簡単に解されて排出口から排出されるかも知れないが、被移送物がウッドチップである場合には、粉粒体に比較して、湿気に富み塊になり易いから、羽根が干渉するとしても簡単に解されず、塊のまま排出されるいわゆるボタ落ち現象が現出され易くなる。
【００１０】
この発明は、このような現状を鑑みて創案されたものであって、その目的とするところは、湿気が少なく塊になり難い性状の被移送物はもちろんのこと、湿気が多いがゆえに塊になり易い性状の被移送物であっても、いわゆるボタ落ち現象を現出させずして、その汎用性の向上を期待するのに最適となる移送装置を提供することである。
【課題を解決するための手段】
【００１１】
上記した目的を達成するために、この発明による移送装置の構成を、軸線が水平とされあるいは傾斜される螺旋ブレードを回動して被移送物を螺旋ブレードの先端側に移送すると共に、螺旋ブレードを収装するケーシングに形成されて下向に開口する排出口から被移送物を排出する移送装置において、螺旋ブレードから離脱し排出口から排出されようとする被移送物に干渉する解し手段が螺旋ブレードの先端に近隣して配置されると共に、この解し手段が上記の排出口に露呈されてなるとする。
【００１２】
このとき、螺旋ブレードは、ケーシングに枢支された軸体の外周に一体に設けられるとし、この軸体が先端に連繋された駆動手段で回動される一方で、この軸体の先端部の外周に解し手段が配在されてなるとし、かつ、この解し手段が放射状に延在される複数の板状体あるいは線状体を有してなるとするのが好ましい。
【発明の効果】
【００１３】
それゆえ、請求項１の発明にあっては、螺旋ブレードの先端に近隣して配置される解し手段が螺旋ブレードを収装するケーシングに形成の排出口に露呈されるから、被移送物が螺旋ブレードを離れて排出口から落下しようとするときに解し手段が干渉することになり、解し手段が排出口に露呈しない状態に配在されている場合に比較して、被移送物に対する解し手段による解し効果が顕著に現出されることになる。
【００１４】
その結果、この発明によれば、粉粒体などの湿気が少なく塊になり難い性状の被移送物はもちろんのこと、ウッドチップのように湿気が多いがゆえに塊になり易い性状の被移送物であっても、塊り状態のまま排出口から落下するいわゆるボタ落ち現象を現出させないことが可能になる。
【発明を実施するための最良の形態】
【００１５】
以下に、図示した実施形態に基づいて、この発明を説明するが、この発明による移送装置は、たとえば、被移送物たるウッドチップを微生物の分解作用で肥料化するプラントに装備される。
【００１６】
ちなみに、ウッドチップは、たとえば、市街地の街路樹における枝払いなどの際に排出される木枝を破砕機で破砕することによって形成される細かい木片であり、したがって、木枝がいわゆる生木であることから、全体的に水分に富む、すなわち、湿気に富むのが常態である。
【００１７】
それゆえ、前述したことでもあるが、このウッドチップにあっては、たとえば、被移送物たる粉粒体が湿気を少なくして塊になり難いことに比較すれば、湿気を多くして塊になり易いと言い得ることになる。
【００１８】
また、このウッドチップは、微生物の分解作用を容易にするように、徐々に細かくされるのが常態で、そのため、多くの場合に、いわゆる前後となる二基の破砕機の間にこの発明による移送装置が配在される設定とされることが多い。
【００１９】
このような湿気を多くして塊になり易いウッドチップを被移送物にするこの発明による移送装置は、図１に示すところでもあるが、基本的には、回動する螺旋ブレード１で被移送物たるウッドチップＷを螺旋ブレード１の先端側に移送すると共に、この螺旋ブレード１を収装するケーシング２に形成の排出口２ａを介してウッドチップＷを外部に排出するとしている。
【００２０】
ちなみに、図示する移送装置にあっては、上方にある先の破砕機（図示せず）からのウッドチップＷがホッパ３で拡散されないように規制されながら螺旋ブレード１上に落下されるとしており、この螺旋ブレード１上に落下されたウッドチップＷをつぎの破砕機Ｍに供給するとしている。
【００２１】
少し説明すると、まず、螺旋ブレード１は、図示するところでは、軸線が傾斜する軸体たるロッド体１１の外周に一体に連設されてロッド型のスクリュを形成してなり、この実施形態では、図２および図３に示すように、このロッド型のスクリュを平面視および後方視で軸線を左右に並列する二本とするいわゆるダブル仕様とされている。
【００２２】
そして、ロッド体１１は、図示するところでは、基端部および先端部がケーシング２に枢支されながら先端に連繋された駆動手段４の駆動によって回動されるとしており（図１および図２参照）、それゆえ、このロッド体１１の回動時に螺旋ブレード１が同時に回動されることになる。
【００２３】
ちなみに、螺旋ブレード１は、これが軸体たるロッド体１１の外周に連設されるとしているが、いわゆる軽量化の観点からすれば、これに代えて、図示しないが、軸体たるパイプ体の外周に連設されるとしても良いことはもちろんである。
【００２４】
そして、螺旋ブレード１部分の軽量化を図る観点からすれば、同じく図示しないが、螺旋ブレード１を連設させたパイプ体を軸体の外周に回動可能に介装する設定としても良く、この場合には、パイプ体を回動することで螺旋ブレード１を回動させ得るから、ロッド体１１を直接回動する場合に比較して、駆動手段４における駆動トルクを小さく設定できる点で有利となる。
【００２５】
そして、螺旋ブレード１が機能するところからすれば、同じく図示しないが、所定の機械的強度が保障される限りにおいて、上記の軸体を有しない螺旋ブレード１のみの態様に形成されていて、これが直接回動されるとしても良く、この場合には、軸体を有しない分、スクリュ部分における全体重量の軽減化に寄与し得るであろう。
【００２６】
つぎに、螺旋ブレード１における回動方向は、図示するところでは、図３中に矢印で示すように、後方視で互いにいわゆる逆方向となり、しかも、二本の螺旋ブレード１上に落下されるウッドチップＷが二本の螺旋ブレード１の間に巻き込まれるようになる方向とされている。
【００２７】
そして、螺旋ブレード１における螺旋の態様についても、すなわち、螺旋ブレード１のロッド体１１に対する連設態様についても、図示するところでは、互いにいわゆる逆向きとなる態様に連設されるとしている（図２参照）。
【００２８】
それゆえ、図示する移送装置にあって、二本の螺旋ブレード１を回動すると、この二本の螺旋ブレード１上に落下されたウッドチップＷが二本の螺旋ブレード１の間に巻き込まれるようになりながら螺旋ブレード１の先端側に押し遣られるようにして移送されることになる。
【００２９】
また、二本の螺旋ブレード１の配置位置を左右逆にすることが条件になるが、二本の螺旋ブレード１の回動方向を逆にする場合には、二本の螺旋ブレード１上に落下されたウッドチップＷが左右に振り分けられながら螺旋ブレード１の先端側に移送されることになる。
【００３０】
ただ、この場合には、螺旋ブレード１の回動方向からこの螺旋ブレード１上に落下されたウッドチップＷが螺旋ブレード１の外周側と後述するケーシング２の内周側との間に滞ることになる滞り現象を発現させることになる危惧がある。
【００３１】
だとすれば、螺旋ブレード１の回動方向は、ウッドチップＷを巻き込むようになる方向とされる方が上記したウッドチップＷにおける滞り現象を発現させ難くなる点で有利になると言い得る。
【００３２】
なお、螺旋ブレード１における回動方向についてだが、上記したところに代えて、左右の螺旋ブレード１を同方向に回動するとの設定が選択されるとしても良いが、この場合には、上記したウッドチップＷを巻き込む効果が半減される点で不利があり、また、ウッドチップＷの滞り現象を発現させ易くなる点で不利があると言い得る。
【００３３】
ところで、上記の螺旋ブレード１を収装するケーシング２についてだが、図示するところでは、螺旋ブレード１の外周とケーシング２の内周との間にいたずらにいわゆるデッドスペースが出現し得ないように配慮されるとしている。
【００３４】
そこで、基本的には、二本の螺旋ブレード１の外周にケーシング２の内周が隙間なく沿う状況になる構造を採用するのが好ましいが、このことは、螺旋ブレード１の言わば下半側における事情であり、二本の螺旋ブレード１の上にウッドチップＷを落下させる観点からすれば、二本の螺旋ブレード１が左右に並列するときの幅は、可能な限りに広く設定されるのが好ましいと言い得る。
【００３５】
しかし、仮に、図３中に仮想線図で示すように、螺旋ブレード１の軸線に沿うように延在されるケーシング２の側壁部２ｂがケーシング２の下底位置より上方になるのに伴って幅広になるように設定される場合には、二本の並列した螺旋ブレード１の上端位置では、かなりの幅に拡開されることになり、上記したデッドスペースを出現し易くする点で不利となる。
【００３６】
このことからすれば、ケーシング２の側壁部２ｂは、図３中に実線図で示すように、左右に並列する二本の螺旋ブレード１における水平方向の最大幅に近似する幅で言わば垂直に立ち上る状態に設定されるのが螺旋ブレード１の外周とケーシング２の内周との間にウッドチップＷを滞らせる隙間を、すなわち、デッドスペースをいたずらに出現させない上で好ましいと言い得る。
【００３７】
ちなみに、図示するところでは、ケーシング２の下底面の中央には断面を山形にする隆起部２ｃが螺旋ブレード１に沿って延設されてなるとし（図３参照）、二本の螺旋ブレード１の下半側に空部を出現させずして、この空部にウッドチップＷが滞ることをあらかじめ阻止するとしている。
【００３８】
なお、この隆起部２ｃは、その機能するところからすれば、ケーシング２の下底面が山形に折り曲げられることで形成されるとしても良く、この場合には、ケーシング２における軽量化を維持しつつ所定の機械的強度をケーシングに具有させることが可能になる点で有利になる。
【００３９】
一方、上記のケーシング２に延設されるホッパ３についてだが、上記したケーシング２における幅を維持するように設定されるのが、言わばホッパ３によるいたずらな容積の占有に繋がらない、すなわち、この移送装置をよりコンパクトに形成し得ることになる点で有利となる。
【００４０】
そして、このホッパ３については、図示するところでは、螺旋ブレード１の全長の上方に位置決められてなるとして、螺旋ブレード１上にウッドチップＷを落下させるときこれをいわゆるバラつかせることを可能にしている。
【００４１】
すなわち、二本の螺旋ブレード１上にウッドチップＷを落下させるとき、ウッドチップＷが言わば一ヶ所に集中されることでウッドチップＷの塊が出現し易くなるのは経験側の示すところであり、したがって、上記したように、ホッパ３が螺旋ブレード１の全長あるいはほぼ全長の上方に位置決められてなるとすることで、ウッドチップＷを散らすようにして落下させることが可能になり、その意味からも、ウッドチップＷの塊を出現させない上で有利となる。
【００４２】
ところで、螺旋ブレード１の回動によってケーシング２内で螺旋ブレード１の先端側に移送されたウッドチップＷは、螺旋ブレード１から離脱してケーシング２に形成の排出口２ａから外部に排出される、すなわち、図示するところでは、破砕機Ｍに排出される。
【００４３】
このとき、この発明にあっては、螺旋ブレード１の先端に近隣して被移送物たるウッドチップＷに干渉する解し手段５が配置されてなるとしており、しかも、この解し手段５が上記の排出口２ａに露呈されてなるとしている。
【００４４】
そして、解し手段５は、図示するところでは、螺旋ブレード１を一体に有するロッド体１１の先端部の外周に放射状に延在される複数の板状体５１を有してなるとしており、この複数の板状体５１からなる解し手段５が上記の排出口２ａに露呈されてなるとするものである。
【００４５】
ちなみに、板状体５１は、ロッド体１１の軸線方向に細幅になるように形成されていて、この板状体５１がウッドチップＷに干渉するとき、すなわち、板状体５１にウッドチップＷが当るとき、このウッドチップＷが塊となっているとすれば、細かく砕くことになるように設定されている。
【００４６】
このように、板状体５１は、ウッドチップＷに当ることで、塊になっているものを細かく砕くものであるから、この作動が保障される限りには、上記の板状体５１に代えて、図示しないが、線状体からなりタイン状に形成されてなるとしても良い。
【００４７】
それゆえ、この解し手段５にあっては、螺旋ブレード１から離脱して排出口２ａを介して下方に落下しようとしているウッドチップＷを排出口２ａ部分で板状体５１が叩くようになり、したがって、仮に、ウッドチップＷが塊になっている状況にあっても、板状体５１によって細かく砕かれることになり、たとえば、粉粒体に比較して、湿気に富み塊になり易いウッドチップＷであっても、塊のまま排出されるいわゆるボタ落ちが出現されなくなる。
【００４８】
のみならず、図示する実施形態の場合には、前記したように、ホッパ３をいわゆる大きく形成しているから、このホッパ３内にウッドチップWを投入するときに、これを撒き散らすようにして投入する、すなわち、塊り状態のままウッドチップWを投入しなくて済むことになり、上記の解し効果が一層顕著に現出されることになる。
【００４９】
以上のように、解し手段５は、その回動時に螺旋ブレード１から離脱したウッドチップＷをいわゆる細かく砕くように機能するものであるから、この機能が果たせる限りには、図示した実施形態に代えて、図示しないが、ロッド体１１の先端部の外周に解し手段５を構成する複数の板状体５１を回動可能に介装しながら螺旋ブレード１とは独立して回動するように設定されるとしても良く、この場合には、ウッドチップＷにおける塊具合に応じて解し手段５における板状体５１の回転速度を選択するなどが可能になり、より効果的な解し作動を実現できることになる利点がある。
【００５０】
前記したところでは、この発明による移送装置がいわゆる据え置き型に設定されてなる場合を図示例にしたが、この発明が意図するところからすれば、図示しないが、ケーシング２を支持する基台Ｆが下端にキャスタなどの可動手段を有して可動型に設定されてなるとしても良い。
【図面の簡単な説明】
【００５１】
【図１】この発明による移送装置を図２中のＸ―Ｘ線位置で要部を破断した状態で示す正面側の立面図である。
【図２】図１の移送装置における平面図である。
【図３】図１の移送装置における後方側の立面図である。
【符号の説明】
【００５２】
１  螺旋ブレード
２  ケーシング
２ａ  排出口
３  ホッパ
４  駆動手段
５  解し手段
１１  軸体たるロッド体
１２  螺旋ブレード
５１  板状体
Ｗ  被移送物たるウッドチップ
【図１】
2005350208.tif 000003
【図２】
2005350208.tif 000004
【図３】
2005350208.tif 000005